(57)【要約】    【課題】プーリにベルトを取り付け、かつ取り外すことのできるベルト取り付け及び取り外し兼用治具の提供。    【解決手段】プーリ２及びベルト３間に挟着する挟着部５と、幅方向にベルト３が外れるのを規制する外れ止め６とを備える。挟着部表面９を傾斜面とする。ベルト３を取り付ける際、外れ止め６の前端よりも後方のプーリ溝４にベルト３を嵌めて挟着部５を挟着する。ベルト３を外れ止め６に掛けてプーリ２のプーリ軸方向外側に通す。プーリ２を回転させ、プーリ溝４に嵌る範囲を徐々に広げてベルト３を取り付ける。プーリ２からベルト３を取り外す際、プーリ２を回転させ、プーリ２との間に挟着部５を挟着するようにベルト３を巻き付ける。ベルト３を挟着部表面９の傾斜に沿って外れ止め６と反対側に滑らせてプーリ２から取り外す。【選択図】  図５
2009115150.tif 000002
【特許請求の範囲】
【請求項１】
外周面にプーリ溝を有するプーリを回転させながら、周方向に伸長可能なベルトを前記プーリ溝に取り付けるため、及び、前記プーリに掛巻された前記ベルトをプーリ溝から取り外すためのベルト取り付け及び取り外し兼用治具であって、
前記プーリ溝に嵌ってベルト及びプーリ間に挟着される挟着部と、該挟着部の挟着状態でプーリに係止するための係止部とを備え、前記挟着部の幅方向一側端部から表面側に突出して幅方向一側にベルトが外れるのを規制する外れ止めが設けられると共に、前記ベルトを受ける挟着部表面が幅方向一側から他側に向かって高さの低くなる傾斜面とされたことを特徴とするベルト取り付け及び取り外し兼用治具。
【請求項２】
前記挟着部の幅方向一側をプーリ軸方向で手前側に向けた姿勢及び奥側に向けた姿勢の二通りの姿勢で装着可能とされたことを特徴とする請求項１に記載のベルト取り付け及び取り外し兼用治具。
【請求項３】
前記係止部は、プーリの側面に接触することによって幅方向他側の浮き上がりを伴う挟着部の傾きを規制するよう、該挟着部の幅方向一側端部から裏面側に突出する突片とされたことを特徴とする請求項１又は２に記載のベルト取り付け及び取り外し兼用治具。
【請求項４】
前記外れ止めよりも長さ方向一側に、幅方向一側かつ裏面側から前記挟着部表面にベルトを案内する曲面状のガイド面が形成されたことを特徴とする請求項１、２又は３に記載のベルト取り付け及び取り外し兼用治具。
【請求項５】
前記挟着部は、長さ方向他側から一側に向かうほど厚く設定されたことを特徴とする請求項１〜４のいずれかに記載のベルト取り付け及び取り外し兼用治具。
【請求項６】
前記外れ止めに、ベルトの背面側を覆う覆い部が設けられたことを特徴とする請求項１〜５のいずれかに記載のベルト取り付け及び取り外し兼用治具。
【発明の詳細な説明】
【技術分野】
【０００１】
本発明は、外周面にプーリ溝を有するプーリを回転させながら、周方向に伸長可能なベルトをプーリ溝に取り付けるため、及び、プーリに掛巻されたベルトをプーリ溝から取り外すためのベルト取り付け及び取り外し兼用治具に関するものである。
【背景技術】
【０００２】
一般に、外周面にプーリ溝を有するプーリにベルトを掛巻してなるベルト伝動機構には、ベルトをプーリに取り付けてから所定のベルト張力を付与するように、テンションプーリなどの張力調整手段が設けられている。
【０００３】
このような張力調整手段を不要にするため、プーリに取り付ける際に周方向に伸長させてプーリフランジを乗り越えさせるようにしたベルトが出現している。さらに、特許文献１は、ベルトを周方向に伸長させながらプーリフランジを乗り越えさせてプーリ溝に嵌め込むためのベルト取付治具を開示し、特許文献２は、プーリ溝からベルトを取り外すためのベルト取り外し治具を開示している。
【０００４】
図７に、特許文献１が開示するベルト取付治具を示す。ベルト取付治具１０１は、プーリ１０２に装着して使用するものであり、このベルト取付治具１０１よりもプーリ回転方向後方のプーリ溝１０３にベルト１０４を嵌めると共に、ベルト１０４を保持面１０５に掛けて保持するようになっている。さらに、プーリ１０２のセンターボルト１０６に工具を装着して回転させて、ベルト取付治具１０１をプーリ回転方向前方に進め、ベルト１０４のうちのプーリ溝１０３に嵌る範囲を徐々に広げることにより、ベルト１０４がプーリ１０２に取り付けられる。
【０００５】
また、図８に、特許文献２が開示するベルト取り外し治具を示す。ベルト取り外し治具１０７は、プーリ１０２に装着して使用するものであり、プーリ１０２とベルト１０４との間に挟着部１０８を挟着するようになっている。さらに、センターボルト１０６に工具を装着してプーリ１０２を回転させることにより、プーリ１０２に巻き付くベルト１０４が押出部１０９でプーリ軸方向に押し出されてプーリ溝１０３から外れる。
【特許文献１】特開２００６−３００１７２号公報（段落番号００２８、００３５、００３６、００４３、００４４、図６）
【特許文献２】特開２００６−２８３９４９号公報（段落番号００１７、００２４〜００２６、図２）
【発明の開示】
【発明が解決しようとする課題】
【０００６】
ところが、特許文献１のベルト取付治具及び特許文献２のベルト取り外し治具は、それぞれベルトの取り付け又は取り外しに専用の治具であり、プーリにベルトを取り付け、さらにプーリから使用後のベルトを取り外すのに二種類の治具を用意する必要がある。
【０００７】
本発明は、プーリにベルトを取り付け、かつ取り外すことのできるベルト取り付け及び取り外し兼用治具の提供を目的とする。
【課題を解決するための手段】
【０００８】
上記目的を達成するために、本発明に係るベルト取り付け及び取り外し兼用治具は、外周面にプーリ溝を有するプーリを回転させながら、周方向に伸長可能なベルトをプーリ溝に取り付けるため、及び、プーリに掛巻されたベルトをプーリ溝から取り外すためのものであり、プーリ溝に嵌ってベルト及びプーリ間に挟着される挟着部と、この挟着部の挟着状態でプーリに係止するための係止部とを備えたものである。さらに、挟着部の幅方向一側端部から表面側に突出して幅方向一側にベルトが外れるのを規制する外れ止めを設けると共に、ベルトを受ける挟着部表面を幅方向一側から他側に向かって高さの低くなる傾斜面とする。
【０００９】
上記構成によれば、挟着部から表面側に外れ止めを突出させるので、プーリにベルトを取り付ける際、プーリ回転方向で外れ止めの前端よりも後方のプーリ溝にベルトを嵌めて挟着部を挟着すると共に、ベルトを外れ止めに掛けてプーリのプーリ軸方向外側に通すことができる。これにより、張力を作用させることなくベルトをプーリに掛けることができ、この状態でプーリを回転させて、治具をプーリ回転方向前方に進めることによって、ベルトのうちのプーリ溝に嵌る範囲を徐々に広げてプーリにベルトを取り付けることができる。しかも、係止部をプーリに係止するので、外れ止めがベルトから受ける力によって治具がプーリから脱落することがない。
【００１０】
さらに、挟着部表面を傾斜面にするので、プーリからベルトを取り外す際、プーリを回転させて、プーリとの間に挟着部を挟着するようにベルトを巻き付けることにより、挟着部表面をプーリ軸方向に滑らせてベルトをプーリから取り外すことができる。しかも、挟着部表面を挟着部の幅方向他側に向かって低くなるよう傾斜させるので、ベルトを、外れ止めと反対側に滑らせて取り外すことができ、外れ止めがベルトの取り外しを阻害することがない。これにより、一つの治具でプーリにベルトを取り付け、かつ取り外すことができる。
【００１１】
また、挟着部の幅方向一側をプーリ軸方向で手前側に向けた姿勢及び奥側に向けた姿勢の二通りの姿勢で装着可能とすれば、ベルトを取り付ける際と取り外す際とで反対の姿勢で治具を装着することにより、プーリ軸方向で同じ方向、特に手前側からベルトを取り付け、かつ取り外すことができる。具体的には、挟着部の幅方向一側をプーリ軸方向で手前側に向けたベルト取り付け姿勢で治具を装着することにより、プーリにその手前側からベルトを取り付けることができ、挟着部の幅方向一側をプーリ軸方向で奥側に向けたベルト取り外し姿勢で治具を装着することにより、プーリからその手前側にベルトを取り外すことができる。
【００１２】
係止部の構造として、プーリの側面に接触することによって幅方向他側の浮き上がりを伴う挟着部の傾きを規制するよう、この挟着部の幅方向一側端部から裏面側に突出する突片を例示できる。この構造を採用することにより、外れ止めに掛けたベルトから幅方向一側に作用する力による挟着部の傾きを規制して、治具の脱落を防止することができる。
【００１３】
外れ止めよりも長さ方向一側に、幅方向一側かつ裏面側から挟着部表面にベルトを案内する曲面状のガイド面を形成すれば、ベルトを取り付ける際、外れ止めに掛けてプーリのプーリ軸方向外側に通したベルトを挟着部の幅方向一側の端縁に引っ掛けることなく挟着部表面に滑らかに滑り込ませることができる。ここで、治具の長さ方向一側は、ベルトを取り付けるようプーリに装着したときのプーリ回転方向で前方側に相当する側である。
【００１４】
挟着部をその長さ方向他側から一側に向かうほど厚く設定すれば、ベルトを取り付ける際に、一旦プーリ溝に嵌めたベルトが外れるのを阻止すると共に、ベルトを取り外す際に、ベルトをスムーズに取り外すことができる。
【００１５】
つまり、ベルトを取り付ける際には、挟着部のうち、予めプーリ及びベルト間に挟着する部位であるプーリ回転方向後方部分が薄いので、プーリを回転させたときのベルト張力を抑えることができる。これにより、外れ止めよりも前方のベルトがプーリ溝に嵌るまで、予めプーリ溝に嵌めた後方のベルトが挟着部表面を幅方向に滑って外れるのを防止することができる。
【００１６】
一方、ベルトを取り外す際には、挟着部のうち、プーリ回転方向後方部分が厚いので、プーリを回転させて挟着部を挟着するようベルト巻き付けることにより、挟着部の厚さの変化に伴ってベルト張力が高まる。これにより、ベルトを幅方向に滑らせる力を徐々に増大させることができ、ベルトをスムーズに取り外すことができる。
【００１７】
外れ止めに、ベルトの背面側を覆う覆い部を設ければ、プーリにベルトを取り付ける際、覆い部によってベルトの浮き上がりを阻止して治具からのベルトの外れをより確実に阻止することができる。しかも、挟着部及び覆い部でベルトを挟むようにして治具をベルトに付けることができるので、ベルトがプーリに取り付いた後の治具の脱落を防止することができる。これにより、治具の脱落を防止するための構造を不要にすることができ、狭いスペースに配置されたプーリにもベルトを容易に取り付けることができる。
【発明の効果】
【００１８】
以上の通り、本発明によると、治具に設けた外れ止めにベルトを掛けてプーリを回転させることにより、ベルトをプーリに取り付け、さらに、プーリを回転させて挟着部を挟着するようにベルトを巻き付けることにより、プーリに掛巻したベルトを挟着部表面の傾斜面を滑らせて取り外すようにしている。これにより、一つの治具で、プーリにベルトを取り付け、かつ取り外すことができ、ベルトの取り付け及び取り外し専用の治具を不要にして治具の共通化を図ることができる。
【発明を実施するための最良の形態】
【００１９】
以下、本発明に係るベルト取り付け及び取り外し兼用治具を実施するための最良の形態について、図面を用いて説明する。図１は本発明に係るベルト取り付け及び取り外し兼用治具の幅方向一側から見た斜視図、図２はベルト取り付け及び取り外し兼用治具の幅方向他側から見た斜視図、図３はベルト取り付け及び取り外し兼用治具の幅方向他側から見た側面図、図４はそのＡ−Ａ断面図である。図５はプーリにベルト取り付け姿勢で装着したベルト取り付け及び取り外し兼用治具の斜視図であり、図６はプーリにベルト取り外し姿勢で装着したベルト取り付け及び取り外し兼用治具の斜視図である。
【００２０】
ベルト取り付け及び取り外し兼用治具１は、プーリ２を回転させながら、周方向に伸長可能なベルト３をプーリ２の外周面に形成されたプーリ溝４に取り付けるため、及び、プーリ２に掛巻されたベルト３をプーリ溝４から取り外すためのものであり、プーリ２及びベルト３間に挟着される挟着部５と、ベルト３を取り付ける際にベルト３が外れるのを規制する外れ止め６と、挟着部５の挟着状態でプーリ２に係止するための係止部７とを備え、プーリ２にベルト取り付け姿勢及びベルト取り外し姿勢の二通りの姿勢で装着可能とされる。
【００２１】
挟着部５は、その裏面側がプーリ溝４に嵌ると共に、幅方向一側端部が一方のプーリフランジ８を乗り越えるよう設定された略長方形の厚板とされ、その裏面側の曲率半径がプーリ溝４の半径と等しくなるよう湾曲している。この挟着部５は、挟着状態でベルト３を受ける挟着部表面９が幅方向一側から他側に向かって高さの低くなる傾斜面とされると共に、長さ方向他側から一側に向かうほど厚く設定されている。
【００２２】
挟着部５の裏面は、例えば複数条のリブが形成されてＶリブドベルトを掛巻するプーリ溝４の溝底形状に合うよう設定され、この裏面形状が幅方向に対称とされる。これにより、ベルト取り付け及び取り外し兼用治具１がプーリ２に、挟着部５の幅方向一側をプーリ軸方向で手前側に向けたベルト取り付け姿勢及び奥側に向けたベルト取り外し姿勢の二通りの姿勢で装着可能とされる。
【００２３】
外れ止め６は、挟着部５の幅方向一側端部から表面側に突出し、幅方向一側にベルト３が外れるのを規制する。この外れ止め６にベルト３を掛けてその前方部分をプーリ２の手前側に通すことにより、プーリ２を回転させてベルト３を取り付ける際、一旦、張力を作用させることなくプーリ２にベルト３を掛けるようになっている。
【００２４】
外れ止め６の先端には、ベルト３の背面側を覆う覆い部１０が設けられ、ベルト３の浮き上がりを阻止して幅方向一側へのベルト３の外れをより確実に防止するようになっている。覆い部１０は、幅方向一側から他側に向かうほど厚く、かつ長さ方向一側から他側に向かうほど厚く設定され、その外面の曲率中心をプーリ２に合わせつつ、挟着部表面９との間のベルト３を通す隙間の大きさを一定にしている。
【００２５】
係止部７は、プーリフランジ８を乗り越えた挟着部５の幅方向一側端部から裏面側に突出する突片とされ、プーリ２の側面に接触することによって幅方向他側の浮き上がりを伴う挟着部５の傾きを規制するようになっている。この係止部７は、外れ止め６よりも長さ方向一側の部分が曲面状に形成され、この曲面が、幅方向一側かつ裏面側、すなわちプーリ２の手前側から挟着部表面９にベルト３を案内するガイド面１１とされる。
【００２６】
ベルト３は、テンショナーなどの張力調整機構を不要にするよう、周方向に伸長可能とされたものであり、例えばベルト本体にポリアミドからなる心線を埋設した構造とすることによって周方向の伸び率を２〜３％に設定される。なお、ベルト３として、Ｖリブドベルトを例示しているが、平ベルトなどのＶリブドベルト以外のベルトであってもよい。
【００２７】
次に、ベルト取り付け及び取り外し兼用治具１を用いてプーリ２にベルト３を取り付ける手順を説明する。
【００２８】
まず、図５に示すように、ベルト取り付け及び取り外し兼用治具１をその挟着部５の幅方向一側をプーリ軸方向で手前側に向けてベルト取り付け姿勢にする。さらに、挟着部５と覆い部１０との隙間にベルト３を通して、ベルト取り付け及び取り外し兼用治具１をベルト３に取り付けると共に、ベルト３のうちのベルト取り付け及び取り外し兼用治具１から離れた部位を他のプーリ１２に掛巻する。
【００２９】
次いで、挟着部５をプーリ２のプーリ溝４に嵌めつつ、プーリ２の回転方向で外れ止め６の前端よりも後方のベルト３をプーリ溝４に嵌めて、プーリ２及びベルト３間に挟着部５を挟着する。さらに、プーリ２の回転方向で前方のベルト３を外れ止め６に掛け、ガイド面１１に沿わせてプーリ２の手前側に通す。この状態では、ベルト３に張力が作用せず、プーリ２にベルト３を容易に掛けることができる。
【００３０】
その後、プーリ２を例えば市販の工具で回転させることにより、ベルト３を伸長させながら、ベルト取り付け及び取り外し兼用治具１がプーリ回転方向前方に進み、ベルト３のうちのプーリ溝４に嵌る範囲が広がっていく。
【００３１】
このとき、ベルト３から幅方向一側に向かう力が外れ止め６に作用するが、挟着部５がベルト３によってプーリ溝４の溝底に向けて押さえられると共に、係止部７がプーリ２に接触することによって挟着部５の傾きが規制される。これにより、プーリ２にベルト３が取り付けられるまで、挟着部５がプーリ溝４に嵌った状態が維持され、ベルト取り付け及び取り外し兼用治具１がプーリ２に係止される。
【００３２】
また、挟着部表面９は傾斜面であるが、挟着部５のうち、予めベルト３で挟着する長さ方向他側の厚さを薄く設定しているので、その分、プーリ２にベルト３が取り付けられるまで、ベルト３の張力が比較的に抑えられ、挟着部表面９の傾斜に沿って滑ることによるベルト３の外れが阻止される。
【００３３】
プーリ２の回転に伴い、外れ止め６よりもプーリ回転方向前方で、ベルト３がプーリ２の中心付近から半径方向外向きに移動して、徐々にプーリフランジ８の外縁に近づいていく。やがて、ベルト３が、ガイド面１１を挟着部表面９まで滑るように移動してプーリ溝４に嵌る。さらに、プーリ２を回転させることにより、ベルト取り付け及び取り外し兼用治具１がベルト３に取り付いたまま脱落することなくプーリ２から外れ、ベルト３が完全にプーリ２に取り付けられる。
【００３４】
次に、ベルト取り付け及び取り外し兼用治具１を用いてプーリ２からベルト３を取り外す手順を説明する。
【００３５】
まず、図６に示すように、ベルト取り付け及び取り外し兼用治具１をその挟着部５の幅方向一側をプーリ軸方向で奥側に向けてベルト取り外し姿勢にする。さらに、挟着部５と覆い部１０との隙間に、プーリ２及び他のプーリ１２に掛巻したベルト３の両プーリ２、１２間に掛け渡された部位を通して、ベルト取り付け及び取り外し兼用治具１をベルト３に取り付ける。
【００３６】
次いで、例えば市販の工具でプーリ２を回転させて、挟着部５を長さ方向他側から一側まで徐々にプーリ溝４に嵌めつつ、プーリ２との間に挟着部５を挟着するようにベルト３を巻き付ける。このとき、挟着部５を長さ方向他側から一側に向かうほど厚く設定していることから、ベルト３の張力が徐々に高められ、ベルト３が、挟着部表面９をその傾斜に沿ってプーリ軸方向で手前側、すなわち、外れ止め６と反対側の幅方向他側に滑って、プーリ２から取り外される。
【図面の簡単な説明】
【００３７】
【図１】本発明に係るベルト取り付け及び取り外し兼用治具の幅方向一側から見た斜視図
【図２】ベルト取り付け及び取り外し兼用治具の幅方向他側から見た斜視図
【図３】ベルト取り付け及び取り外し兼用治具の幅方向他側から見た側面図
【図４】図３のＡ−Ａ断面図
【図５】プーリにベルト取り付け姿勢で装着したベルト取り付け及び取り外し兼用治具の斜視図
【図６】プーリにベルト取り外し姿勢で装着したベルト取り付け及び取り外し兼用治具の斜視図
【図７】従来のベルト取付治具の斜視図
【図８】従来のベルト取り外し治具の斜視図
【符号の説明】
【００３８】
１    ベルト取り付け及び取り外し兼用治具
２    プーリ
３    ベルト
４    プーリ溝
５    挟着部
６    外れ止め
７    係止部
１０  覆い部
１１  ガイド面
【図１】
2009115150.tif 000003
【図２】
2009115150.tif 000004
【図３】
2009115150.tif 000005
【図４】
2009115150.tif 000006
【図５】
2009115150.tif 000007
【図６】
2009115150.tif 000008
【図７】
2009115150.tif 000009
【図８】
2009115150.tif 000010